(57)【要約】【課題】  本発明は、スライド時のバックラッシを除去して円滑なスライド走行を可能にすると共にがたつきを防止できるようにする。【解決手段】  本発明は、スライド部２Ｂの進行方向に対して設けられたラック１２と、スライド部２Ｂに取り付けられた状態でラック１２と係合させることにより当該スライド部２Ｂを進行方向に駆動させるために設けられた駆動用ピニオンギア１１と、当該駆動用ピニオンギア１１と同様にラック１２と係合させることにより当該駆動用ピニオンギア１１と連動して当該スライド部２Ｂを進行方向に駆動させるために設けられたがた取用ピニオンギア１５と、駆動用ピニオンギア１１とがた取用ピニオンギア１５との距離を縮めさせるような力を作用させることにより、進行方向における当該駆動用ピニオンギア１１及び当該がた取用ピニオンギア１５とラック１２との係合状態を隙間なく密着させるがた取用ばね２０とを設けるようにする。【選択図】        図２
2005226774.tif 000002
【特許請求の範囲】
【請求項１】
引出収納式のスライド部の進行方向に対して設けられたラックと、
上記スライド部に取り付けられた状態で上記ラックと係合させることにより当該スライド部を上記進行方向に駆動させる第１のピニオンギアと、
上記第１のピニオンギアと同様に上記ラックと係合する第２のピニオンギアと、
上記第１のピニオンギアと上記第２のピニオンギアとの距離を縮めさせるような力を作用させることにより、上記進行方向における当該第１のピニオンギア及び当該第２のピニオンギアと上記ラックとの係合状態を隙間なく密着させるバックラッシ除去手段と
を具えることを特徴とするスライド機構。
【請求項２】
上記バックラッシ除去手段は、上記第１のピニオンギア及び上記第２のピニオンギア間に設けられ、当該第１のピニオンギアと当該第２のピニオンギアとを互いに引っ張り合う弾性体でなる
ことを特徴とする請求項１に記載のスライド機構。
【請求項３】
上記スライド部の所定位置に取り付けられ、上記第１のピニオンギア及び上記第２のピニオンギアを上記ラックに押し付けるように付勢する上下方向抑制手段と
を具えることを特徴とする請求項１に記載のスライド機構。
【請求項４】
上記上下方向抑制手段は、上記第１のピニオンギア又は上記第２のピニオンギアの回転軸に対してアーム状部材の一端が回転自在に保持されると共に、当該アーム状部材の他端には、上記ラックに対して略平行に形成された壁部と当接された状態で転がるようにローラが取り付けられ、上記アーム状部材が上記スライド部の所定位置を回動中心として取り付けられた状態で上記第１のピニオンギア又は上記第２のピニオンギアを上記ラックに押し付けると共に上記ローラを上記壁部に押し付けるように付勢する
ことを特徴とする請求項３に記載のスライド機構。
【請求項５】
上記上下方向抑制手段は、上記バックラッシ除去手段による上記第１のピニオンギアと上記第２のピニオンギアとの距離を縮めさせるような力を利用し、上記スライド部の所定位置を回動中心として取り付けられた上記アーム状部材を介して上記第１のピニオンギア又は上記第２のピニオンギアを上記ラックに押し付けると共に上記ローラを上記壁部に押し付けるように付勢する
ことを特徴とする請求項４に記載のスライド機構。
【請求項６】
引出収納式のスライド部を駆動するスライド機構を有する電子機器であって、
上記スライド部の進行方向に対して設けられたラックと、
上記スライド部に取り付けられた状態で上記ラックと係合させることにより当該スライド部を上記進行方向に駆動させる第１のピニオンギアと、
上記第１のピニオンギアと同様に上記ラックと係合する第２のピニオンギアと、
上記第１のピニオンギアと上記第２のピニオンギアとの距離を縮めさせるような力を作用させることにより、上記進行方向における当該第１のピニオンギア及び当該第２のピニオンギアと上記ラックとの係合状態を隙間なく密着させるバックラッシ除去手段と
を具えることを特徴とする電子機器。
【発明の詳細な説明】
【技術分野】
【０００１】
本発明は、スライド機構及び電子機器に関し、例えば車載用ＤＶＤ(Digital Versatile Disc)プレーヤに適用して好適なものである。
【背景技術】
【０００２】
従来、車載用ＤＶＤプレーヤにおいては、フロントパネルから液晶ディスプレイを有するモニタ部がスライドして引き出された後に、当該モニタ部が起き上がることにより当該液晶ディスプレイをドライバやパッセンジャに対して正対させるような構造になっている。
【０００３】
このＤＶＤプレーヤでは、モニタ部をフロントパネルからスライドして引き出す構造や当該モニタ部を引き出した状態で保持する構造として、ラックに対し１個のピニオンギアを組み合わせたラックアンドピニオンでなるスライド機構が用いられている。
【０００４】
このようなスライド機構においては、通常ラックとピニオンギアとの間にバックラッシが生じた場合、モニタ部のスライド走行時にがたつきが発生したり、モニタ部が所定位置まで引き出されて静止状態に保持されていても自動車の振動等によってがたつきが発生することがあった。
【０００５】
そこでバックラッシ除去に際しては、駆動用ギアに二重ギアが係合せしめられたものが一般的に用いられている（例えば、特許文献１参照）。
【特許文献１】実開昭58-62486号公報
【発明の開示】
【発明が解決しようとする課題】
【０００６】
ところでかかる構成のスライド機構においてバックラッシ除去用に二重ギアが係合せしめられた駆動用ギアを用いる場合、当該二重ギアを用いるために構成が複雑になると共に重量が重くなるという問題がある。
【０００７】
またスライド機構においては、モニタ部が引き出されて静止状態を保持しながらがたつきを防止するためには、例えば板ばね等を用いて当該モニタ部に一定の負荷をかけることが必要とされ、その分だけＤＶＤプレーヤ全体の構成も複雑化すると共に大型化及び重量化してしまうという問題があった。
【０００８】
本発明は以上の点を考慮してなされたもので、バックラッシを除去して円滑なスライド走行を可能にすると共にがたつきを防止し得るスライド機構及び電子機器を提案しようとするものである。
【課題を解決するための手段】
【０００９】
かかる課題を解決するため本発明においては、引出収納式のスライド部の進行方向に対して設けられたラックと、スライド部に取り付けられた状態でラックと係合させることにより当該スライド部を進行方向に駆動させる第１のピニオンギアと、当該第１のピニオンギアと同様にラックと係合する第２のピニオンギアと、第１のピニオンギアと第２のピニオンギアとの距離を縮めさせるような力を作用させることにより、進行方向における当該第１のピニオンギア及び当該第２のピニオンギアとラックとの係合状態を隙間なく密着させるバックラッシ除去手段とを設けるようにする。
【００１０】
本発明のスライド機構においては、スライド部を進行方向に対してスライド走行させた場合でも第１のピニオンギアと第２のピニオンギアとの距離を縮めさせるような一定の負荷を与えることにより、ラックとの係合状態を隙間なく密着させることができるので、バックラッシを除去して円滑なスライド走行を可能にすると共にがたつきを防止することができる。
【００１１】
また本発明においては、引出収納式のスライド部を駆動するスライド機構を有する電子機器であって、スライド部の進行方向に対して設けられたラックと、スライド部に取り付けられた状態でラックと係合させることにより当該スライド部を進行方向に駆動させる第１のピニオンギアと、当該第１のピニオンギアと同様にラックと係合する第２のピニオンギアと、第１のピニオンギアと第２のピニオンギアとの距離を縮めさせるような力を作用させることにより、進行方向における当該第１のピニオンギア及び当該第２のピニオンギアとラックとの係合状態を隙間なく密着させるバックラッシ除去手段とを設けるようにする。
【００１２】
本発明の電子機器においては、引出収納式のスライド部を進行方向に対してスライド走行させた場合でも第１のピニオンギアと第２のピニオンギアとの距離を縮めさせるような一定の負荷を与えることにより、ラックとの係合状態を隙間なく密着させることができるので、バックラッシを除去して円滑なスライド走行を可能にすると共にがたつきを防止することができる。
【発明の効果】
【００１３】
本発明によれば、引出収納式のスライド部を進行方向に対してスライド走行させた場合でも第１のピニオンギアと第２のピニオンギアとの距離を縮めさせるような一定の負荷を与えることにより、ラックとの係合状態を隙間なく密着させることができるので、バックラッシを除去して円滑なスライド走行を可能にすると共にがたつきを防止し得るスライド機構及び電子機器を実現することができる。
【発明を実施するための最良の形態】
【００１４】
以下、図面について、本発明の一実施の形態を詳述する。
【００１５】
（１）車載用ＤＶＤプレーヤの全体構造
図１において、１は全体として本発明の電子機器としての車載用ＤＶＤプレーヤを示し、液晶ディスプレイでなる薄型モニタ２がその表示面２Ａを下方向に向けたまま本体３からスライドして引き出された後、ヒンジ部４を介して上方に折り曲げられることにより当該表示面２Ａが正面を向くような構造を有している。
【００１６】
このＤＶＤプレーヤ１は、薄型モニタ２の両サイドに設けられ、本体３の内部で走行するスライド機構５を介して使用開始時には本体３から当該薄型モニタ２がスライドしながら引き出され、使用終了時には当該本体３の内部に薄型モニタ２がスライドしながら収納される。
【００１７】
なお薄型モニタ２は、表示面２Ａが正面を向いた状態でも、当該表示面２Ａ以外のスライド部については本体３の内部に収納されたままの状態であり、当該薄型モニタ２の両サイドに設けられたスライド機構５についても本体３の内部で進行方向に対してスライドするだけであって当該スライド機構５が外部に露出することはない。
【００１８】
（２）スライド機構の構造
図２に示すようにスライド機構５は、薄型モニタ２が本体３内部の収納空間をスライド走行するスライド部２Ｂの回転駆動軸１０に勘合固定された駆動用ピニオンギア１１と、当該収納空間における底部１８に設けられたラック１２とが係合された状態で、当該回転駆動軸１０を介して駆動用ピニオンギア１１がモータ等（図示せず）によって回転駆動されることにより当該スライド部２Ｂを矢印Ａ又は矢印Ｂに示す方向へスライド走行させるようになされている。
【００１９】
またスライド機構５は、スライド部２Ｂの側面における所定位置に回動軸１３を回動中心として略弓状のアーム部１４が取り付けられ、当該アーム部１４の一端ではバックラッシによるがたつきを除去するためのがた取用ピニオンギア１５を軸支すると共に、他端では収納空間における天井部１９に当接された状態で回転する上下サポートローラ１６を軸支することにより、上下方向サポートユニット１７を構成するようになされている。
【００２０】
さらにスライド機構５は、スライド部２Ｂの側面下方における駆動用ピニオンギア１１寄りの所定位置に、がた取用ばね２０の一端２０Ａが取り付けられると共に、上下方向サポートユニット１７におけるがた取用ピニオンギア１５寄りの所定位置に、当該がた取用ばね２０の他端２０Ｂがばね部２０Ｃを若干伸長した状態で取り付けられる。
【００２１】
このときスライド機構５では、がた取用ばね２０のばね部２０Ｃを伸長した状態から元に戻ろうとする収縮力Ｆが発生し、回動軸１３を回動中心として上下方向サポートユニット１７に対し時計周りに回転しようとする力が働く。
【００２２】
これによりスライド機構５は、スライド部２Ｂに取り付けられた駆動用ピニオンギア１１と、がた取用ピニオンギア１５との距離を縮めさせるように互いを引っ張りあわせ、その結果当該駆動用ピニオンギア１１及びがた取用ピニオンギア１５とラック１２との係合状態を隙間なく密着させたまま保持し得るようになされている。すなわちスライド機構５は、がた取用ばね２０の収縮力Ｆによってバックラッシによるがたつきの発生を予め防止し得るようになされている。
【００２３】
また、このとき同時にスライド機構５では、回動軸１３を回動中心として上下方向サポートユニット１７に対し時計周りに回転しようとする力が働いていることにより、上下方向サポートユニット１７における上下サポートローラ１６を矢印Ｕ方向すなわち天井部１９に押し付けると共に、当該上下方向サポートユニット１７に軸支されているがた取用ピニオンギア１５を矢印Ｄ方向すなわちラック１２に押し付けることになる。
【００２４】
このようにスライド機構５は、上下方向サポートユニット１７における上下サポートローラ１６を天井部１９に押し付けると共に、がた取用ピニオンギア１５をラック１２に押し付けることができるので、がた取用ばね２０によって駆動用ピニオンギア１１とがた取用ピニオンギア１５とが互いを引っ張りあった結果、当該駆動用ピニオンギア１１及びがた取用ピニオンギア１５が上方向に持ち上がってラック１２との係合状態が外れてしまうことを予め防止し得るようになされている。
【００２５】
因みにスライド機構５は、上下方向サポートユニット１７における上下サポートローラ１６を天井部１９に押し付けることにより、当該駆動用ピニオンギア１１及びがた取用ピニオンギア１５のラック１２に対する押し付け力を適正値に調整することもできる。
【００２６】
なおスライド機構５は、天井部１９の表面に凸凹があり、当該ラック１２と当該天井部１９との間が完全に平行状態ではなかったとしても、がた取用ばね２０の収縮力Ｆによって上下方向サポートユニット１７の上下サポートローラ１６を常時天井部１９に押し当てることができるので、スライド走行時における天井部１９の凸凹状態を上下サポートローラ１６を介して上下方向サポートユニット１７により吸収し、当該駆動用ピニオンギア１１及びがた取用ピニオンギア１５が上方向に持ち上がることを防止しつつ、ラック１２との係合状態を隙間なく密着させたまま保持し得るようになされている。
【００２７】
（３）動作及び効果
以上の構成において、スライド機構５は、薄型モニタ２のスライド部２Ｂに取り付けられた駆動用ピニオンギア１１と、回動軸１３を回動中心とする上下方向サポートユニット１７のアーム部１４に軸支されたがた取用ピニオンギア１５とを、がた取用ばね２０におけるばね部２０Ｃの収縮力Ｆによって互いの距離を縮めるように引っ張りあわせることにより、当該駆動用ピニオンギア１１及びがた取用ピニオンギア１５とラック１２との係合状態を隙間なく密着させたまま保持し、バックラッシによるがたつきを未然に防止することができる。
【００２８】
従ってスライド機構５は、駆動用ピニオンギア１１及びがた取用ピニオンギア１５とラック１２との係合状態に対する精度が粗くても、がた取用ばね２０によって十分にバックラッシによるがたつきを防止することができる。
【００２９】
またスライド機構５は、がた取用ばね２０の収縮力Ｆによってバックラッシによるがたつきを防止しながら、当該収縮力Ｆが必要以上に強い場合には、当該駆動用ピニオンギア１１及びがた取用ピニオンギア１５の歯とラック１２の歯とが滑り、次第に上方向に持ち上がり始め、スライド部２Ｂを円滑にスライド走行させることができなくなる。
【００３０】
そこでスライド機構５では、上下方向サポートユニット１７のアーム部１４の他端に軸支された上下サポートローラ１６をがた取用ばね２０の収縮力Ｆを利用して天井部１９に押し当てるようにしたことにより、当該駆動用ピニオンギア１１及びがた取用ピニオンギア１５が上方向に持ち上がることを未然に防止し、円滑なスライド走行を維持することができる。
【００３１】
このようにスライド機構５は、がた取用ばね２０の収縮力Ｆにより、当該駆動用ピニオンギア１１及びがた取用ピニオンギア１５のスライド時の進行方向に対して常時一定の負荷を与え続けると共に、上下方向サポートユニット１７の上下サポートローラ１６を介して当該駆動用ピニオンギア１１及びがた取用ピニオンギア１５の上下方向に対しても常時一定の負荷を与え続けることができる。
【００３２】
かくしてスライド機構５は、例えば当該スライド機構５を搭載しているＤＶＤプレーヤ１が車内空間において斜めに設置され、薄型モニタ２が斜めの状態でスライドして引き出されたり、当該斜めの状態のまま表示面２Ａが使用される場合であっても、自動車の振動等によって薄型モニタ２をがたつかせることなく安定してスライド走行させ得ると共に、薄型モニタ２が引き出された状態でがたつかせることなく安定して保持することができる。
【００３３】
以上の構成によれば、スライド機構５は、駆動用ピニオンギア１１及びがた取用ピニオンギア１５とラック１２との間で生じるバックラッシを除去して円滑なスライド走行を可能にすると共に、スライド走行時及び静止時のがたつきを確実に防止することができる。
【００３４】
（４）他の実施の形態
なお上述の実施の形態においては、略弓状のアーム部１４を有する上下方向サポートユニット１７を用いて駆動用ピニオンギア１１及びがた取用ピニオンギア１５が上方向へ持ち上がることを防止するようにした場合について述べたが、本発明はこれに限らず、例えば図３に示すスライド機構５０のように、駆動用ピニオンギア１１及びがた取用ピニオンギア１５が上方向に持ち上がる垂直方向に対して上下方向サポートユニット５１及び５２を配置し、当該上下方向サポートユニット５１及び５２の一端で駆動用ピニオンギア１１及びがた取用ピニオンギア１５軸支し、当該上下方向サポートユニット５１及び５２の他端で上下サポートローラ５３及び５４を軸支することにより、当該駆動用ピニオンギア１１及びがた取用ピニオンギア１５が上方向へ持ち上がることを上下方向サポートユニット５１及び５２の付勢力で直接防止するようにしても良い。
【００３５】
なお、この場合スライド機構５０におけるがた取用ばね２０と、がた取用ピニオンギア１５とは、当該がた取用ピニオンギア１５に軸支されたプレート５５に対してがた取用ばね２０の他端２０Ｂが取り付けられ、当該ガタ取用ばね２０の収縮力Ｆを利用して駆動用ピニオンギア１１とガタ取用ばね２０との間の距離を縮めるように引っ張りあわせることにより、当該駆動用ピニオンギア１１及びがた取用ピニオンギア１５とラック１２との係合状態を隙間なく密着させたまま保持し、バックラッシによるがたつきを防止することができる。
【００３６】
また上述の実施の形態においては、本発明を車載用ＤＶＤプレーヤに適用するようにした場合について述べたが、本発明は車載用に限らず、家庭用で用いられるＤＶＤプレーヤ等一般的にスライド部を有する電子機器であれば、その他の種々の電子機器に本発明のスライド機構を適用するようにしても良い。
【００３７】
さらに上述の実施の形態においては、本発明のスライド機構を、ラックとしてのラック１２、第１のピニオンギアとしての駆動用ピニオンギア１１、第２のピニオンギアとしてのがた取用ピニオンギア１５及びバックラッシ除去手段としてのがた取用ばね２０によって形成するようにした場合について述べたが、本発明はこれに限らず、その他種々の構造でなるラック、第１のピニオンギア、第２のピニオンギア及びバックラッシ除去手段によってスライド機構を形成するようにしても良い。
【産業上の利用可能性】
【００３８】
本発明のスライド機構は、例えば車載用に限らず家庭用の電子機器についても適用することができる。
【図面の簡単な説明】
【００３９】
【図１】本発明のＤＶＤプレーヤの全体構造を示す略線的斜視図である。
【図２】本発明のスライド機構の構造を示す略線的側面図である。
【図３】他の実施の形態におけるスライド機構の構造を示す略線的側面図である。
【符号の説明】
【００４０】
１……ＤＶＤプレーヤ、２……薄型モニタ、３……本体、４……ヒンジ部、５、５０……スライド機構、１１……駆動用ピニオンギア、１２……ラック、１３……軸、１４……アーム部、１５……がた取用ピニオンギア、１６……上下サポートローラ、１７……サポートユニット、１８……底部、１９……天井部、２０……がた取用ばね。
【図１】
2005226774.tif 000003
【図２】
2005226774.tif 000004
【図３】
2005226774.tif 000005